(57)【要約】  本発明は：ａ．気候装置（１１０、１４０）；ｂ．インターネットアクセスルータ（１３５）にリンクされたコンピュータ（１３０）を備える、特に無線の、ローカルネットワークを備え、ここで：ｃ．上記気候装置（１１０）は、上記ローカルネットワーク上でその動作様式に関する情報を送信するための、通信手段と呼ばれる手段（１１５）を備える。本発明はまた、このような気候システムを実装するための方法にも関する。【選択図】図１
2017530638.tif 000002
【特許請求の範囲】
【請求項１】
ａ．気候装置（１１０、１４０）；
ｂ．インターネットネットワークアクセスルータ（１３５）にリンクされたコンピュータ（１３０）を備える、特に無線の、ローカルエリアネットワーク；
ｃ．前記気候装置（１１０）は、前記ローカルエリアネットワークを介して前記気候装置（１１０）の動作に関する情報を送信するための、通信手段と呼ばれる手段（１１５）を備え；
ｄ．パーソナル端末（１２０）
を備える、気候システムであって、
前記気候装置（１１０）の前記通信手段（１１５）は、前記パーソナル端末（１２０）と対話でき、前記ローカルエリアネットワークを介して前記パーソナル端末（１２０）からの信号を中継できることを特徴とする、気候システム。
【請求項２】
前記気候装置（１１０、１４０）は、前記気候装置の環境に関するパラメータを測定するためのセンサ（１１１）を備え、
前記気候装置の前記通信手段は、前記センサによって推定された測定量に関する情報を送信できる、請求項１に記載のシステム。
【請求項３】
前記気候装置（１１０、１４０）は存在検出手段を備え、
前記気候装置の前記通信手段（１１５）は、前記存在検出手段の状態に関する情報を送信できる、請求項１に記載のシステム。
【請求項４】
前記通信手段（１１５）は、前記ローカルエリアネットワークから情報を受信できる、請求項１に記載のシステム。
【請求項５】
前記気候装置（１１０）は、
ｅ．前記コンピュータ（１３０）と情報を交換できる、前記気候装置（１１０）の動作を制御するための手段
を備える、請求項１に記載のシステム。
【請求項６】
前記コンピュータ（１３０）は、メモリ中に、気候装置位置情報を含む、請求項１に記載のシステム。
【請求項７】
前記コンピュータ（１３０）は、前記気候装置（４１０）内に組み込まれる、請求項１に記載のシステム。
【請求項８】
制御カセット（４１５、４３０）を接続するためのハウジングを備える、複数の前記気候装置（４１０、４１１）を備え、
前記複数の装置のうちの一方は、前記コンピュータの機能を実施できる前記制御カセット（４３０）を備え、
前記複数の装置のうちの他方は、前記通信手段の機能を実施できる前記制御カセット（４１５）を備える、請求項７に記載のシステム。
【請求項９】
請求項１に記載のシステム及びユーザ権限と呼ばれるレシーバ（１５１、１５２）を用いて、エネルギデータを収集及び伝送するための方法であって、
前記方法は、前記方法が：
i．ローカルエリアネットワークを介して、気候装置（１１０）の動作に関するデータを得るステップ（２１０）；
ii．前記データをコンピュータ（１３０）上のメモリに記憶するステップ（２２０）；
iii．記憶された前記データを組み合わせて、エネルギ消費プロファイルを画定するステップ（２４０）；
iv．前記エネルギ消費プロファイルを、インターネットを介して、前記ユーザ権限（１５１、１５２）に伝送するステップ（２５０）；
v．前記ユーザ権限から、前記ステップiii）及びiv）をトリガする要求を送信するステップ（２３０）であって、前記要求は、前記ステップiv）において伝送される前記エネルギ消費プロファイルを画定するために使用される前記ステップiii）のデータ組み合わせモードに関する情報を含む、ステップ（２３０）
からなるステップを含むことを特徴とする、方法。
【請求項１０】
vi．前記ステップiv）において伝送された前記エネルギ消費プロファイルに応じて、前記気候装置の動作を修正するステップ（２８０）
からなるステップを含む、請求項５に記載のシステムを実装するための、請求項９に記載の方法。
【請求項１１】
前記ステップi）は：
‐前記気候装置の前記動作に複数の修正を加えるステップ；
‐前記気候装置の前記動作に対する前記修正において修正された気候パラメータの傾向を測定するステップ；
‐前記気候装置によって制御された前記気候パラメータの修正時定数を計算するステップ
からなるステップを含む、請求項９に記載の方法。
【請求項１２】
請求項１に記載のシステムを実装するための方法であって、
前記方法は、前記方法が：
ｕ．パーソナル端末（１２０）の識別子を得るステップ；
ｖ．前記パーソナル端末のユーザに関する情報を得るステップ（３３０、３４０）；
ｗ．前記パーソナル端末の、前記システムの前記気候装置との近接を検出するステップ（３１０）；
ｘ．ローカルエリアネットワークを介して検出情報を伝送するステップ（３３０、３５０）；
ｙ．前記ステップｖ）において受信した前記情報に応じて、前記気候装置の動作を修正するステップ（３３０、３５０）
からなるステップを含むことを特徴とする、方法。
【請求項１３】
前記ステップｗ）と前記ステップｘ）との間に：
ｚ．前記パーソナル端末のジオロケーションを得て、この情報を用いて前記気候装置をジオロケートするステップ
からなるステップを含む、請求項６に記載のシステムを実装するための、請求項１２に記載の方法。
【請求項１４】
測定量は、特定の施設の空気の質を監視及び調整するために、請求項１１に記載の方法によって実装される、空気の質に関するパラメータである、請求項２に記載のシステムの使用。
【請求項１５】
センサ（１１１）は、特に特定の施設への侵入を検出するために、存在を検出できる、請求項２に記載のシステムの使用。
【発明の詳細な説明】
【技術分野】
【０００１】
本発明は、接続気候システムに関する。本発明は、システムの動作を最適化するため又はシステムの環境を分析するために、多数のデータから挙動を決定及び予測することを目的として、用語「ビッグデータ（Ｂｉｇ  Ｄａｔａ）」によって一般に表される、意思決定情報処理及び推断情報処理の両方の気候操作に関する。
【０００２】
用語「気候システム（ｃｌｉｍａｔｅ  ｓｙｓｔｅｍ）」は、エネルギ消費を犠牲にして、気候雰囲気、限定するものではないがより詳細には、温度及び関連する湿度を局所的に修正することを可能とする、一連のデバイス及び該一連のデバイスの実装方法を指す。限定するものではないが、気候システムに関わる上記デバイスとしては、放射又は対流に基づいた加熱デバイス、可逆的又は非可逆的空気調節デバイス、制御された換気デバイス、清浄温水生成手段が挙げられる。
【背景技術】
【０００３】
全ての工業先進国では、気候システムのエネルギ消費は、最大の最終エネルギ消費、一般には国の総エネルギ消費の約４０％を占める。
【０００４】
気候システムに関わる多数のデバイスは、電気エネルギを消費するデバイスであり、またこれらのデバイスは通常、電気コンベクタ、放射パネル若しくは温水ヒータの場合のように媒体の直接加熱によって、又は更に熱ポンプ若しくは空気調節デバイスの場合のように熱の伝達によって、この電気エネルギを熱に変換する。
【０００５】
これらの気候装置、特に電気式のものは、媒体の熱慣性を用いて又は気候装置の内部の蓄積手段を用いて、例えば物質の相の変化を用いて、エネルギを貯蔵でき、また特定の実施形態によると、上記気候装置は、このようにして貯蔵されたエネルギを復元できる。従ってこのような気候装置は、エネルギ消費平滑化手段を構成し、これは特に、電気エネルギ等の非貯蔵性エネルギの、より詳細には風又は太陽光エネルギ等の再生可能エネルギのコンテキストにおける、生成及び消費の調節の管理において、特に有用である。
【０００６】
消費を平滑化するために現在主に使用されている第１のモデルによると、エネルギ供給企業は、消費者の自然消費の傾向を相殺して消費者のエネルギ消費を平滑化するために、有利な料金範囲及び不利益な料金範囲、更に負荷切断の提供を設定する。電気式ラジエータ等の最近の気候装置は、負荷切断又は負荷集中制御の存在下でユーザの快適性及びエネルギ消費を最適化できる手段を備える。
【０００７】
並行して、エネルギ供給企業は、主に揚水、ガス圧縮又は蓄電池に基づく、異なるエネルギ貯蔵技術を用いる。これらの技術は、電気エネルギを、機械的又は化学的なポテンシャルエネルギという別の形態で貯蔵するものであり、これらは、ネットワーク上に再注入できるようになる前に変換して電気エネルギに戻さなければならない。これらの調節モードは、巨視的エネルギ消費に応じて制御され、上記調節モードは、これもまた巨視的である気象及び人口挙動等のデータに基づいて、そしてネットワークにより相互接続される供給企業間の、エネルギを購入及び販売する市場システムによって設計される。このモデルは、水力、火力又は原子力発電所による、ランダムではない大量のエネルギ生産に完璧に適している。しかしながら、瞬間的な生産潜在力を決定できない集合型風力発電所、太陽光発電装置、小規模発電等の、局地的規模の現象によって影響を受ける再生可能エネルギ源の急増により、このタイプのモデルは潜在的に無効となり、場合によっては、負のエネルギ販売価格につながり、また調節システムの応答性に関連していない期間にわたる販売価格の極めて大幅な変動につながる。
【０００８】
消費末端規模におけるエネルギ消費の貯蔵及び調節は、この問題に対する解決策を提供する。例えば、電気ヒータ又は空気調節装置を数秒又は数分間にわたって負荷切断しても、エンドユーザが感知可能な結果は発生しない。しかしながら、この負荷切断を多数の装置に対して実施すれば、消費の低下は、ピーク消費の削減に寄与するために、又は低コスト生産期間にエネルギを購入して高コスト生産期間に上記エネルギを再販売することに寄与するために、十分なものであるある。同様に、気候装置における熱形態での電気エネルギの貯蔵により、電気エネルギのネットワークへの再注入を伴わずに、この熱エネルギを直接復元できるようになる。この調節モードは、地方、州、村又は地区規模で実現可能である。しかしながら、この極めて微小な規模における消費のモデルは、人口の巨視的挙動に比べて予測るのが複雑である影響因子を考慮しなければならない。従って、挙動及びエネルギ消費の予想は、世帯規模のアプローチを必要とする。
【０００９】
特許文献１は、ローカルエリアネットワークに接続された１つ又は複数のサーモスタットを備える気候システムについて記載しており、上記ローカルエリアネットワークは、インターネットに接続されたコンピュータを備える。
【先行技術文献】
【特許文献】
【００１０】
【特許文献１】米国特許第２００１／０４６７９２号
【発明の概要】
【課題を解決するための手段】
【００１１】
本発明は、従来技術のこの問題を解決することを目的とし、この目的のために：
ａ．気候装置；
ｂ．インターネットネットワークアクセス手段にリンクされたコンピュータを備える、特に無線の、ローカルエリアネットワーク；
ｃ．上記気候装置は、上記ローカルエリアネットワークを介して上記気候装置の動作に関する情報を送信することができる、通信手段と呼ばれる手段を備え；
ｄ．パーソナル端末
を備える、気候システムに関し、
上記気候装置の上記接続手段は、上記パーソナル端末と対話でき、上記ローカルエリアネットワークを介して上記パーソナル端末からの信号を中継できる。
【００１２】
従って、本発明の主題である気候システムにより、ローカルエリアネットワークの範囲に対応する位置、即ちより一般には世帯の気候装置の動作条件に関するデータの収集、気候装置が設置された世帯の各部分に関する情報又は挙動の区別、及びこれらのデータから引き出された情報の、インターネットを介した、エネルギ消費調節サービス又はいずれの他のサービスへの伝送が可能となる。本発明の主題であるシステムは、気候装置が静的ＩＰアドレスを有することを必要とせず、また送信手段は既存の設備に適合でき、上記送信手段は上記既存の設備からの電力源を利用する。インターネットを介して伝送されるデータの性質は、コンピュータによって決定される。従って、本発明の主題であるシステムの気候装置は、携帯電話等のパーソナル端末からの情報を中継でき、又はこの端末に情報を送信して、上記端末の所有者にシステムの動作のモードを通知することさえでき、より一般には、上記端末の所有者と対話しながら、通信手段によって、上記パーソナル端末によって上記システムを制御できるようにすることができる。従って、一方では、本発明の主題であるシステムは、気候装置の居所のほぼ全ての部分における存在を利用して、パーソナル端末からの信号を中継し、上記パーソナル端末と対話する。ローカルエリアネットワークのコンピュータはインターネットにリンクされるため、本システムの機能は、気候装置並びに気候装置自体の制御及び自動化手段と、ローカルコンピュータと、インターネットを介してコンピュータに接続されたユーザ権限と、場合によってはパーソナル端末との間で共有される。従って、これらの機能は大規模化が可能であり、異なるニーズに適合できる。従って、本発明の主題である気候システムの気候装置は、これらの主な気候機能に加えて、自身のパーソナル端末を有するユーザと遥かに巨大なシステムとの間に、インターネットネットワークを介した中継を構成し、機能はこれら３つの系の間で分散される。
【００１３】
ここで用語「コンピュータ（ｃｏｍｐｕｔｅｒ）」は広義で使用され、コンピュータは、プロセッサ、入力及び出力ポートと、ローカルエリアネットワーク、インターネットアクセス手段、メモリ手段とのインタフェースを備える、デバイスである。
【００１４】
本発明は、有利には、以下に説明される複数の実施形態に従って実装され、これらの実施形態は、個別に、及びいずれの理論的に実現可能な組み合わせにおいて、考慮されるものとする。
【００１５】
有利には、気候装置は、上記装置の環境に関するパラメータを測定するためのセンサを備え、上記装置の上記通信手段は、上記センサによって推定された測定量に関する情報を送信することができる。従って、本発明の主題であるシステムは、特定の部屋のほぼ全ての部分に設置された気候装置を媒体として使用して、気候環境、又はより一般にはこれらの特定の部屋の雰囲気に関する要素を感知する。このような情報により、上記部屋の使用の良好なイメージを得ることができるようになる。
【００１６】
有利には、気候装置は、存在検出手段を備え、上記装置の上記通信手段は、上記検出手段の状態に関する情報を送信することができる。上述のように、本発明の主題であるシステムは、特定の部屋に存在する気候装置を、これらの部屋の部分の占有度の検出を操作するための媒体として使用する。これらのデータは有利には、上記部屋の占有度の条件を精緻化するために使用でき、また例えば安全目的にも使用できる。
【００１７】
有利な実施形態によると、本発明の主題であるシステムの通信手段は、ローカルエリアネットワークから情報を受信できる。従って、本発明の主題であるシステムにより、接続された端末からの複雑な情報を局所的に、即ち気候装置の傍で収集でき、この情報に基づいて又はこの情報を使用してシステムの設定を調整できるようになる。
【００１８】
本発明の主題であるシステムの特定の実施によると、気候装置は、
ｅ．上記コンピュータと情報を交換できる、上記気候装置の動作を制御するための手段
を備える。
【００１９】
従って気候装置は、その動作を部分的に若しくは全体的に制御でき、ネットワークに接続された別の気候装置の動作を制御若しくは分析でき、パーソナル端末と直接対話でき、又は上記装置がサポートするセンサから得た状況を解釈して、上記状況に応じて情報をネットワークを介して送信することさえできる。
【００２０】
有利には、本発明の主題であるシステムのコンピュータは、メモリ中に、気候装置位置情報を含む。
【００２１】
従って本システムは、異なる複数の機能の管理において上記位置を考慮する。
【００２２】
本発明の主題であるシステムの有利な実施形態によると、上記コンピュータは、上記気候装置内に組み込まれる。従って、このような気候装置、特に部屋の組み込みにより、上記部屋の気候システムは通信が可能となり、上記気候システムの装置間の通信は、従来技術において公知の手段に従って、例えばパイロットワイヤによって、又は電源ネットワークによって実施される。
【００２３】
有利には、後者の実施形態による本発明の主題である気候システムは、制御カセットを接続するためのハウジングを備える複数の上記気候装置を備え、上記複数の装置のうちの一方は、上記コンピュータの機能を実施できる制御カセットを備え、上記複数の装置のうちの他方は、上記通信手段の機能を実施できるカセットを備える。従って、上記複数の装置それぞれを、上記システムと通信するように構成できる。この実施形態により、本発明の主題である気候システムを、自律動作モードから通信動作モードにアップグレードできるようになる。
【００２４】
本発明はまた、本発明によるシステム及びユーザ権限と呼ばれるレシーバを用いて、エネルギデータを収集及び伝送するための方法に関し、
上記方法は：
i．ローカルエリアネットワークを介して、気候装置の動作に関するデータを得るステップ；
ii．上記データをコンピュータ上のメモリに記憶するステップ；
iii．記憶された上記データを組み合わせて、エネルギ消費プロファイルを画定するステップ；
iv．上記プロファイルを、インターネットを介して、上記ユーザ権限に伝送するステップ；
v．上記ユーザ権限から、上記ステップiii）及びiv）をトリガする要求を送信するステップであって、上記要求は、上記ステップiv）において伝送される上記プロファイルを画定するために使用される上記ステップiii）のデータ組み合わせモードに関する情報を含む、ステップ
からなるステップを含む。
【００２５】
従って、本発明の主題である方法は、本発明の主題であるシステムからの情報を利用して、末端消費者の挙動のプロファイルを確立する。このプロファイルは、有利には、限定するものではないが特にエネルギ消費のモデル及び予測を確立するために、ユーザ権限によって使用される。より詳細には、本発明の主題である気候システムのユーザの挙動プロファイル情報は、ユーザ権限がそれを必要とする瞬間にユーザ権限に伝送され、これにより、上記ユーザの挙動の良好なイメージを得ることができるようになる。
【００２６】
有利には、ステップv）において送信される要求は、ステップiv）において伝送されるプロファイルを定義するために使用される、ステップiii）のデータの組み合わせのモードに関する情報を含む。従って、コンピュータがユーザ権限に伝送する情報は、上記ユーザ権限が目的とする使用に完全に一致する。
【００２７】
実装の特定のモードによると、上記ステップi）は：
‐上記気候装置の動作に複数の修正を加えるステップ；
‐上記装置の動作に対する上記修正において修正された気候パラメータの傾向を測定するステップ；
‐上記気候装置によって制御された上記気候パラメータの修正時定数を計算するステップ
からなるステップを含む。
【００２８】
従って、本発明の主題であるシステムの気候装置は有利には、上記装置の環境に関する情報及びこの環境の応答を得て、この情報を上記システムの制御に組み込むために、使用される。
【００２９】
本発明はまた、ネットワークに接続されたパーソナル端末を備える実施形態による、本発明の主題であるシステムを実装するための方法に関し、上記方法は有利には、その実施形態のうちのいずれの１つによる前述の方法と組み合わせることができ、また上記方法は：
ｕ．パーソナル端末の識別子を得るステップ；
ｖ．上記パーソナル端末のユーザに関する情報を得るステップ；
ｗ．上記パーソナル端末の、上記システムの上記気候装置との近接を検出するステップ；
ｘ．パーソナルネットワークを介して検出情報を伝送するステップ；
ｙ．上記ステップｖ）において受信した上記情報に応じて、上記気候装置の動作を修正するステップ
からなるステップを含む。
【００３０】
従って、本発明の主題であるシステムは、人間、より一般にはパーソナル端末の保有者の存在及び位置を検出できる。この情報を、本発明の主題であるシステムの制御のために、又は消費プロファイルを確立するために使用でき、より詳細には、気候装置の動作及び本発明の主題であるシステムの動作は、ユーザのプロファイルに応じて修正される。
【００３１】
この方法の特定の実施形態によると、この方法は、上記ステップｗ）とステップｘ）との間に：
ｚ．上記パーソナル端末のジオロケーションを得て、この情報を用いて上記気候装置をジオロケートするステップ
からなるステップを含む。
【００３２】
従って、パーソナル端末のジオロケーション能力は有利には、気候装置を配置するために使用され、この配置を用いて、本発明の主題である気候システムの動作を最適化する。
【００３３】
本発明の主題であるシステムは、コンピュータを介してユーザ権限と対話できるため、上記権限は、交換した情報に基づいてサービスを提案でき、また気候システムの有用性を、その暖房又は空気調節としての主たる使用を超えて拡張できる。
【００３４】
従って、使用の一例によると、気候装置が空気の質に関するパラメータを評価できるセンサを備える本発明の主題であるシステムを使用して、特定の部屋の空気の質を監視及び調整する。
【００３５】
別の例によると、センサは存在を検出でき、本発明の主題であるシステムは、特定の部屋への侵入を検出するために使用される。
【００３６】
本発明を、その好ましい非限定的な実施形態に従って、及び図１〜４を参照して以下に説明する。
【図面の簡単な説明】
【００３７】
【図１】図１は、本発明の主題である気候システムのある実施形態の例を示す概略図である。
【図２】図２は、本発明の主題である気候システムを実装するための方法の例のフローチャートである。
【図３】図３は、本発明の主題である気候システムを実装するための方法の別の例のフローチャートである。
【図４】図４は、気候装置のうちの１つにコンピュータが組み込まれた、本発明の主題であるシステムのある実施形態の例を示す。
【発明を実施するための形態】
【００３８】
図１において、実施形態のある例によると、本発明の主題であるシステムは、気候装置（１１０、１４０）を備える。この特定の例によると、上記装置は、電気式ラジエータ（１１０）又は温水ヒータ（１４０）である。あるいは又は更に、本発明の主題であるシステムは、可逆的若しくは非可逆的空気調節、シングル若しくはデュアルフロー制御機械換気、又は燃料焚きストーブ、又はコジェネレーションボイラ（このリストは網羅的なものではない）等の気候装置を備える。一般に、本発明の主題であるシステム内には、複数のタイプの気候装置が存在する。この実施形態によると、上記電気式ラジエータは、サーモスタットを制御する温度プローブ（図示せず）、追加のセンサ（１１１）（例えば存在センサ）、相対湿度センサ、二酸化炭素（ＣＯ2）センサ、動作検出器又は煙検出器さえ備える。気候装置は、電気ネットワークに接続され、特に無線のＷＬＡＮタイプのローカルエリアネットワーク、又はＷＰＡＮタイプのパーソナルエリアネットワークによるコンピュータ（１３０）への接続のための手段（１１５）を備える。例示的な一実施形態によると、ネットワークへのこのリンクはＷｉＦｉ（登録商標）に従ったトランシーバによって生成され、上記接続手段は上記装置の電源によって給電される。別の実施形態によると、ローカルエリアネットワークは、例えば建物の配電網又は更にＫＮＸ（登録商標）バス上のキャリア電流を用いた、有線ネットワークである。
【００３９】
更に、気候装置は、例えばＺｉｇＢｅｅ（登録商標）、ＫＮＸ（登録商標）又はＢｌｕｅｔｏｏｔｈ（登録商標）規格に従ったトランスミッタの形態の、パーソナルエリアネットワークへの接続のための手段（図示せず）を備える。従って、この実施形態によると、気候装置は、このパーソナルエリアネットワークを介して、このタイプの接続が可能なパーソナル端末（１２０）、例えば携帯電話又はＰＣタブレットに接続できる。従って気候装置は、ローカルエリアネットワークを介して、上記パーソナル端末（１２０）と交換した情報を中継できる。別の実施形態によると、パーソナル端末は電子無線周波数タグを備えるバッジであり、気候装置（１１０）は、上記タグが上記装置に近接した際に上記タグを読み取るための手段を備える。コンピュータ（１３０）は、例えばルータ（１３５）を介して、ローカルエリアネットワーク及びインターネットに接続される。あるいはルータ（１３５）及びコンピュータは同一の装置である。従ってインターネットによる接続は、有線ネットワークによって、携帯電話ネットワークによって、又は更にＳＩＧＦＯＸ（登録商標）タイプの接続されたオブジェクト専用のセルラーネットワークを介して、生成される。
【００４０】
従って本発明の主題であるシステムの気候装置（１１０、１４０）は、ローカルエリアネットワークにおいてのみ視認でき、コンピュータのみがインターネットネットワーク内のＩＰアドレスを有する。このシステムは全て、同一の世帯又は同一の建物に設置される。上記コンピュータ（１３０）は、データを送信でき、インターネットネットワークを介して、「ユーザ権限（ｕｓｅｒ  ａｕｔｈｏｒｉｔｉｅｓ）」と呼ばれる１つ又は複数のサーバ（１５１、１５２）と対話できる。上記ユーザ権限（１５１、１５２）は、コンピュータ（１３０）によって上記ユーザ権限（１５１、１５２）に伝送される、フォーマット済み及び計算済みデータを使用する。これらのデータにより、本発明の主題であるシステムを備えた世帯又は建物のプロファイルを確立でき、また収集した情報に従って、世帯の占有者又は建物のユーザのプロファイルを確立できる。
【００４１】
一実施形態によると、ローカルエリアネットワークのコンピュータは、気候装置以外のホームオートメーションコンポーネント、例えばスイッチ、ローリングブラインド制御、煙検出器又は更に風力計からの情報にアクセスし、上記コンポーネントは、例えばＫＮＸバスを用いて上記ローカルエリアネットワークに直接接続され、又はこのホームオートメーションコンポーネントは、気候装置によって確立されたいわゆるパーソナルエリアネットワークを介して上記ローカルエリアネットワークに接続される。
【００４２】
実施形態の単純な例によると、気候装置は、電気抵抗器と、サーモスタットと、上記サーモスタットの設定に応じて上記電気抵抗器の電力供給サイクルを制御するための手段とを備える、電気コンベクタである。このタイプの機器は、多数の世帯で広く使用されている。本発明の主題であるシステムは、装置の抵抗器が給電される瞬間及び上記抵抗器が給電されない時を、ネットワークを介して上述のような気候装置に放送できる、送信モジュール（１１５）を備えることにより、既存の設備に適合できる。コンピュータ（１３０）は、これらのデータから、及びコンピュータのメモリに記憶された装置の電力から、暖房に使用されるエネルギ及びこのエネルギが消散される時間帯を容易に計算する。ユーザ権限（１５１、１５２）に送信されたこられのデータにより、これらが他のデータ（例えば世帯の位置の屋外の温度）と関連付けられたとき、暖房期間中に、その世帯の占有度を決定できるようになり、従って例えば、本邸を別邸と区別する、又は世帯の実際のエネルギ効率に応じて世帯を分類することができるようになる。
【００４３】
殆どの気候装置はまた、センサ及び高性能制御手段を備え、これにより、装置の環境又はユーザの行動に応じて、装置の動作状態を適合できるようになる。従って、電気式ラジエータの殆どは、目標温度に応じて電気式ラジエータの動作を閉ループ調節するための、温度プローブを備える。例として、仏国特許第２９８２３４６号は、気候装置が設置される居室の実際の使用に応じて気候装置の動作状態を適合できる、気候装置を記載している。この気候装置は：
−存在、ノイズ及び振動検出器；
−相対湿度又は二酸化炭素レベルのセンサ、汚染物質の存在又は輝度センサといった環境センサ；
−窓又はドア開放検出器
を備える。
【００４４】
この情報のコンピュータへの伝送及び適切なモデルに応じたこの情報の処理により、このようなシステムを備える住居の及び上記住居の占有度のプロファイルを生成できるようになる。このようにして得られたプロファイルの精度により、ユーザ権限（１５１、１５２）は、適切なモデルを用いて、必要であれば部屋ごとに、世帯のエネルギ消費を予測でき、また熱の形態の電気エネルギの分散貯蔵を実施できる。気候装置（１１０）は上記ユーザ権限に直接接続されず、コンピュータ（１３０）のみがインターネットに接続される。従って、ユーザ権限に伝送される情報の性質、頻度、量は、ユーザの私生活を保護するのに不可欠なファイアウォール及びセキュリティ機能を備えるこのコンピュータによって、決定される。
【００４５】
図２において、本発明の主題であるシステムを実装するための方法のある例示的実施形態によると、問い合わせステップ（２１０）の間、コンピュータは、ローカルエリアネットワークを介して、気候装置（１１０）又はローカルエリアネットワークに接続された複数の装置に問い合わせを行い、データを得る。気候装置（１１０）は要求を受信すると、送信ステップ（２１５）に従って、ローカルエリアネットワークを介してコンピュータ（１３０）に情報を送信する。上述したように、この伝送される情報は装置の動作に関する情報のみならず、気候装置のセンサによって送達される情報、又は更に上記気候装置（１１０）のプログラミング及び制御手段によって実施される前処理から得られる情報からなる。各気候装置は、例えば各気候装置のトランスミッタのＭＡＣアドレス又は物理アドレスを用いて、ローカルエリアネットワーク上で識別される。トランスミッタがＭＡＣアドレスを有しない場合、気候装置は、コンピュータを用いて、初期ダイアログプロトコルによってネットワーク上で識別される。従ってコンピュータは、これらのデータの源を識別でき、また有利には、メモリ中に、ラジエータ、温水ヒータ、空気調節装置等、装置の電力、建物における装置の位置及びいずれの有用なパラメータといった、装置の特性を含む。コンピュータは、記憶ステップ（２２０）に従って、このようにして受信したデータを特にデータ及び受信時間に応じてソートし、これらをメモリ（２２５）に記憶する。要求ステップ（２３０）の間、ユーザ権限（１５１）は、要求をコンピュータ（１３０）に対して送信する。ある例示的実施形態によると、上記要求は、データ伝送要求及び伝送前にこれらのデータを処理するためのプロトコルの両方を含む。ユーザ権限（１５１）及びコンピュータ（１３０）はインターネットによってリンクされ、コンピュータ（１３０）はＩＰアドレスを有する。この要求を受信すると、コンピュータ（１３０）は処理ステップ（２４０）の間に、メモリ（２２５）中に記憶されたデータを収集して、これらのデータに対して、ユーザ権限（１５１）によってコンピュータに伝送されたプロトコルを適用する。コンピュータ（１３０）は応答ステップ（２５０）に従って、適用された処理の結果及び必要なデータを、インターネットを介してユーザ権限（１５１）に伝送し、ユーザ権限（１５１）は受信ステップ（２６０）中に上記データを取得する。
【００４６】
本発明の主題であるシステムのある例示的実施形態によると、コンピュータ（１３０）は、気候装置（１１０）を制御できる。この制御は、ローカルエリアネットワークを介して命令を上記気候装置に直接送信することにより、又は例えばパイロットワイヤを介して、気候装置にコマンドを送信できる制御手段に命令を送信することにより、又は電源ネットワークによって伝達される信号により、行われる。
【００４７】
従って、本発明の主題であるシステムのこの実施形態によると、分析ステップ（２７０）の間、ユーザ権限（１５１）は、コンピュータ（１３０）が、より一般にはコンピュータ（１３０）に接続された気候システムが伝送したデータを分析し、インターネットを介して命令をコンピュータ（１３０）に送信する。この命令を受信すると、コンピュータ（１３０）は、気候装置（１１０）に、又はこのコンピュータが属する気候システムを形成する気候装置に、動作コマンドを送信する（２８０）。本発明の主題である方法及びデバイスのこの実施形態により、ユーザ権限は、単純な削減よりも複雑な消費命令を送信できる。例えば、このような命令は、世帯の暖房又は空気調節電力を、定義された期間にわたる定義された閾値に制限することからなる。これを達成するための、上記システムの上記気候装置の管理は、ユーザ権限によってではなくコンピュータ（１３０）によって実施され、本発明の主題である気候装置の実施形態によると、上記コンピュータは、気候装置の個々のプログラミング及び制御手段との対話によって、この管理を実施する。
【００４８】
ユーザ権限とコンピュータとの間の交換プロトコルについて、ここでは簡単に説明したが、これは、従来技術に従って、全ての適切な識別及び認証ステップを含む。
【００４９】
ユーザ権限と本発明の主題であるシステムとの間の交換は、エネルギ消費の平滑化を目的とした使用に限定されない。従って、伝送されたプロファイルは、ユーザ権限によって、商業及び広告目的のために使用できる。実際には、より詳細には、本発明の主題であるシステムの気候装置が、高性能な手段及びセンサを備える場合、本発明の主題である方法により、システムのユーザの、インターネット又はソーシャルネットワーク接続時間外のプロファイルを生成できるようになり、従って例えば、販促動作を対象とすることができるようになる。これは：気候装置が建物のほぼ全ての部分に存在する場合；気候装置上に送信モジュールを組み込むことにより、本発明の主題であるシステムをいずれの既存の気候設備に対して容易に展開できる場合；システムがデータを連続的に伝送できる場合；及びシステムのユーザがシステムの設置から特にエネルギ節約及び快適性に関して利益を得る場合に、より一層有利である。この目的のために、本発明の主題であるシステムのコンピュータは、インターネットを介して複数のユーザ権限に接続され、これによって様々なサービスを提供でき、また様々な情報を活用できる。上記サービスとしては、物品及び人間の安全、健康、又は快適性の最適化が挙げられるが、このリストは限定的なものではない。
【００５０】
本発明の主題であるシステムの別の態様によると、本システムは、パーソナル端末の接続を承諾できる。ある例示的実施形態によると、気候装置は、コンピュータを備えるローカルエリアネットワークへの接続のための手段、例えばＷｉＦｉ（登録商標）プロトコルに従った、又は特に気候装置に給電する電源ネットワークを用いてキャリア電流によって有線接続された、トランシーバを備える。上記気候装置はまた、赤外線によって又は更にＲＦＩＤタイプの無線周波数タグを検出できるアンテナによって、Ｂｌｕｅｔｏｏｔｈ（登録商標）プロトコル、ＺｉｇＢｅｅ（登録商標）プロトコルを用いた、近接接続手段を備える。従って、携帯電話のようなパーソナル端末、又は電子識別タグを備えるバッジを気候装置に近接して配置し、上記端末のユーザが気候装置の接続を認可すると、気候装置はこの装置の存在を検出でき、上記装置と情報を交換でき、またローカルエリアネットワークを介してこの情報を中継できる。
【００５１】
図３において、本発明の主題である気候システムのある例示的実施形態によると、接続ステップ（３１０）の間、気候装置（１１０）に近接して配置されるパーソナル端末（１２０）は上記装置に接続する。パーソナル端末（１２０）は、このようにして気候装置に通信される識別子を有する。この接続を受信すると、気候装置（１１０）は、ローカルエリアネットワークを介して、パーソナル端末の接続情報及び識別子をコンピュータ（１３０）に伝送する（３２０）。第１の変形実施形態によると、上記パーソナル端末の識別子はコンピュータ内に記憶され、上記コンピュータのメモリ中に記憶されたユーザの嗜好と関連づけられる。非限定的な例として、これらの嗜好は、ユーザが占有する部屋（オフィス、居間、寝室）に応じた、及び時刻に応じた周囲温度に関するものである。パーソナル端末（１２０）の識別子を受信すると、及び上記端末がその付近に配置される気候装置（１１０）の知識によって、コンピュータ（１３０）はこの情報を処理し、これらの嗜好に一致した動作セットを気候装置に送信する。第２の変形実施によると、パーソナル端末（１２０）を所有するユーザは、ユーザ権限（１５２）を有する特定のサービスに、ユーザとして加入している。本発明の主題である気候システムが設置される居所（例えばホテル）の所有者はまた、上記ユーザ権限（１５２）を有するプロバイダの加入者である。従って、この変形実装形態によると、情報処理ステップ（３３０）において、コンピュータ（１３０）はインターネットによって、パーソナル端末の存在検出情報をユーザ権限に送信する。この情報を受信すると、ユーザ権限は、ユーザの嗜好をコンピュータ（１３０）に通信する（３４０）。これらの嗜好を受信すると、コンピュータは、当該嗜好を処理し、当該嗜好を気候装置（１１０）に伝送する前に、当該嗜好を気候システムの技術仕様に応じた設定に変換し、これにより、気候システムの動作が上記設定に応じて調整される（３６０）。この実装のモードにより、ユーザ権限が提供するサービスに加入しているユーザは、これらもまた上記サービスの加入者である全ての場所において、同様の気候雰囲気を復元できる。
【００５２】
特に気候装置が居所の全ての部屋に分配されているという事実、及びこれらの部屋における気候装置の位置により、これらの気候装置が一般に相当程度視認可能であるという事実を利用して、年配者又は虚弱者を確実に監視するために、気候装置及びパーソナル端末の近接を検出できる能力は有利には、存在センサのような気候装置の他のセンサと組み合わせて使用される。ある例示的実施形態によると、人間は、無線周波数タグを備えるバッジを身に着ける。運動センサ、窓開放、温度又は清浄温水生成センサからの情報のような、他の情報と関連付けられた、気候装置によるタグの検出に関する情報は、コンピュータに送信されて結合され、疑わしい又は危険な挙動を検出する。例えば、熱波期間には、窓の開放がないこと、高温、居所におけるバッジの固定位置、居所の複数の部屋における運動センサの不在は、インターネットを介してユーザ権限に伝送され、結果的に干渉する警報を生成しようとする。
【００５３】
有利には、パーソナル端末の近接の検出若しくは存在センサが送達する情報、又はこれら両方の組み合わせを用いて、特に学習によって、気候装置が設置される部屋の占有されていない期間を検出する。この目的のために、例として、パーソナル端末の存在センサ及び近接検出センサが送達する情報は、コンピュータのメモリ中に記憶され、タイムスタンプを付される。所定の期間にわたり取得された情報を、統計的観点から分析して、その部屋の占有及び非占有の期間を決定する。これらのデータの分析を可能とする統計モデルをインターネットから読み込むか、又はデータをユーザ権限にエクスポートし、上記ユーザ権限が上記データを処理して、コンピュータにこの処理の結果を占有又は非占有時間帯の形態で通信する。有利には、気候装置を設ける際、相対湿度センサ及びＣＯ2センサからの情報もまた、この目的のために使用される。
【００５４】
実装の別の形態によると、本発明の主題であるシステムは、建物の空気の質の管理を保証できる。例えば、複数の階を備える居所又は建物内の空気中の相対湿度の制御は複雑であり、また暖房期間中の上階及び夏の下階において、湿気の集積がもたらされることが多い。本発明の主題であるシステムの気候装置のセンサからのこれらのデータを組み合わせることにより、コンピュータは、例えばこれらの現象を制限するために、暖房及び機械的換気の動作を適合させることができる。更に、コンピュータをユーザ権限に接続することにより、気象情報を取得し、システムの動作を調節することができるようになる。
【００５５】
別の例示的実施形態によると、本発明の主題であるシステムにより、ユーザは、ユーザ権限に加入することにより、ユーザの不在期間を管理できるようになる。従って、ある実装の例によると、温水ヒータは不在期間の開始時に徐々に切断され、不在期間の終了前に徐々に動作に復帰し、居所は霜のない状態に維持され、占有者の帰宅前の温度に漸進的に戻る。居所に備えられるシステムの気候装置が存在又は運動センサを備える場合、システムは、ユーザの不在期間中の部屋への侵入を検出することもできるようになる。この侵入検出は、従来の警報システムを完全なものとする。多数の部屋に気候装置が存在すること、及び上記気候装置の環境の複数のパラメータを測定する能力により、上記気候装置は、疑わしい状況を検出でき、特に温度の変化による窓又はドアの開放を検出でき、また部屋内の存在を検出できる。このような疑わしい状況において、実装の例によると、気候システムのコンピュータは、ホームオートメーションバスを介して、既存の警報システムと直接対話するか、又は、例えば異常活動検出メッセージをユーザ権限に送信することにより、自身が警報をトリガする。
【００５６】
同様の原理によると、本発明の主題である気候システムは、環境センサ、及びより一般には上記システムの気候装置の対話能力を使用して、単独で、又は他のセキュリティシステムと協働して、火災警報、ガス漏れ、水漏れ、又は更には停電（これらの例は限定的なものではない）といった技術的警告を検出及び生成する。
【００５７】
図４において、本発明の主題であるシステムの特定の実施形態によると、上記システムは複数の気候装置（４１０、４１１）を備える。上記気候装置は、制御カセットと呼ばれるカセット（４１５、４３０）を受承できるハウジングを備える。実施形態によると、上記制御カセットは、単一の上記装置、及び上記装置の自律動作を制御するための電子モジュールを備える。別の実施形態によると、制御カセット（４１５）は、気候装置のネットワーク内の装置を動作させるための、及び上記装置間で情報を交換するための電子モジュールを備える。例えば上記制御カセット（４１５）は、例えばプログラマブル論理回路の形態の、上記制御カセットが挿入される装置（４１１）を制御するための電子モジュールと、有線ネットワークを介して又は無線ネットワークを介して、他の気候装置へ情報を送信する及び他の気候装置から情報を受信するための電子モジュールとを備える。このような気候システムは、異なる構成の装置間で協調的に動作できる。有利には、上記気候システムの装置（４１０）のうちの１つは、インターネットに接続できるコンピュータを備える制御カセット（４３０）を備える。従って、このタイプのカセットをこの実施形態による気候システムの気候装置の１つに挿入することにより、この気候システムを通信可能とすることができる。
【００５８】
本発明の主題であるデバイスの別の例示的実施形態によると、気候装置が使用される部屋内の気候装置の位置に関する情報が、コンピュータに与えられる。例示的実施形態によると、上記位置は、気候装置が設置される部屋、例えば：「寝室」、「居間」、「台所」、「トイレ」の性質に関する、場合によっては上記部屋の容積又は表面積に関連する、単純な情報からなる。このような情報は、例えば上記気候システムの設置時に、パーソナル端末を用いてコンピュータのメモリに、又はコンピュータに直接、入力される。相補的な又は代替的な実装のモードによると、このような情報は、部屋の平面における気候装置の位置決めに関連する。この位置決めは例えば、ユーザ又は設置者が上記平面上に印を付けることによって達成される。先行する実施形態に対して代替的な又は相補的な更に別の実施形態によると、気候装置はジオロケートされる。ある例示的実施形態によると、上記ジオロケーションは、パーソナル端末がＧＰＳ等のジオロケーション手段を備える場合にはパーソナル端末を介して、又は更に近隣のＷｉＦｉ（登録商標）端末を介して、達成される。従って、最も包括的な場合、コンピュータは、設備の各気候装置に関して、気候装置の性質及びその電力に関する情報、気候装置の影響を受ける容積に関する情報、部屋の平面に対する気候装置の位置（特に開口の近接）に関する情報、気候装置の相対位置（特に該設備の他の気候装置に対する気候装置の距離）に関する情報を有する。有利には、気候装置の位置情報は、存在検出及び侵入検出といった検出機能において、並びに気候制御機能において使用される。
【００５９】
本発明の主題であるシステムの先行する実施形態に対して無関係な又は相補的な実装のモードによると、このモードは、観察及び計算期間にわたり自己学習することにより、上記システムが設置される建物の動的挙動を決定することからなるステップを含む。対流又は放射加熱に適したある例示的実装形態によると、温度上昇は、加熱電力を制御することにより適用され、気候装置の温度プローブによって測定された温度の傾向と比較される。場合によってはジオロケーション情報と組み合わされ精緻化されるこの情報を用いて、制御された気候パラメータに応じて、気候装置が配置された部屋の応答を評価する。続いて、この情報により、低減された設定に従って制御される装置に対応する、気候雰囲気がいわゆる待機状態に維持される待機期間と、気候装置を備える部屋が占有される状態、及び装置が快適設定に従って制御される状態に対応する、いわゆる快適期間とを、制御気候パラメータに関係する部屋の時定数に応じてこれらの期間の間の遷移を予期することにより、より良好に管理できるようになる。
【００６０】
従って、ある応用例によると、部屋の時定数に関するこの情報を用いて：
‐建物の動的挙動を決定するステップ；
‐気候装置の特徴、気候装置の環境、気候条件に応じて、上記動的挙動から温度上昇時間を推定するステップ；
‐コンピュータのメモリ手段から、部屋の非占有帯を取得するステップ；
‐上記非占有帯、上記温度上昇時間、低下した温度において与えられる動作の期間に応じて、低減された設定の期間をプログラムするステップ；
‐条件及びインターネットを介して得られた予測的情報に応じて、上記低減された設定の値を計算するステップ；
‐決定された閾値を超える部屋の非占有度を検出し、低減された設定を低減することによって、非占有が長期にわたる場合にエネルギ消費を制限するステップ
からなるステップを含む制御方法が実装される。
【００６１】
ある例示的実施形態によると、上記予測的情報は、ユーザ権限によって収集及び実装されたデータ及びアルゴリズムから引き出される。従って、占有又は非占有の期間の予測を可能とする上記情報は、例えば気象又は更には道路交通に関する情報を含む。この目的のために、ある例示的実施形態によると、建物の占有の蓋然性を定義するために、アプリケーションが世帯のユーザの携帯電話にインストールされ、上記アプリケーションは、上記携帯電話の位置をユーザ権限とやりとりする。ユーザとユーザの居所との距離、又はより有利には定義された時間にユーザがユーザの居所に到着する蓋然性、例えば：
‐最大１５分で到着する蓋然性：０．２；
‐最大３０分で到着する蓋然性：０．５；
‐最大６０分で到着する蓋然性：０．９５；
が、ユーザ権限によって気候システムのコンピュータに送信される。
【００６２】
温度設定は、場合によっては時間に応じて居所の各部屋の間で差が出るように、上記蓋然性及び建物の時定数に応じて調整される。
【００６３】
以上で提示した動作の原理を気候装置位置情報と組み合わせることにより、本発明の主題であるシステムを使用して、ユーザにとって最適な快適性を保証しながら、定義された閾値未満の消費電力をいかなる時でも維持できるようにする、いわゆる高性能の負荷切断プロファイルを実装する。従って、従来技術から公知の方法に従ってメータにおいて実施される測定により、消費電力を常に知ることができる。コンピュータは、設備の気候装置の動作の速度に関する情報、及び気候装置の環境、特に上記気候装置が設置される部屋における占有度又は存在に関する情報を、ローカルエリアネットワークを介して常に受信する。
【００６４】
非限定的な例として、標的となる最大消費を超えた場合、負荷切断を必要とする装置の選択は、以下の順の優先度及びルールに従って、コンピュータによって行われる：
‐気候装置の温度プローブが、閾値（例えば２１℃）を超える周囲温度を測定する（ここで上記閾値は、問題となる居所の複数の部屋によって異なっていてよい；
‐部屋は占有されておらず、気候装置は節約モードであり、即ち低減された設定を用いている；
‐部屋は占有されておらず、気候装置は快適モードにある；
‐部屋は占有されており、気候装置はエコモードにある；
‐部屋は占有されており、気候装置は快適モードにある；
‐気候装置は非凍結モードにある；
‐２つの気候装置が同一の優先度レベルを有する場合、気候装置の設定温度と部屋の周囲温度との間の差が最も小さい装置を優先的に選択する；
‐切断された気候装置が複数の装置（その定格電力は上記切断された装置の定格電力以上である）が存在する部分にある場合、コンピュータは、上記部分の基準に応じて、異なる複数の装置間の負荷切断の順番のローテーションを制御する。
【００６５】
上述の説明及び実施形態の例は、本発明が目的を達成すること、特に本発明が、気候システム（既存の設備の場合を含む）に複雑な、対話式の、変更可能な動作を実行させることができ、従ってエネルギを節約しエネルギ消費を平滑化するためにこのシステムの動作を最適化できるようにすることを示す。本発明の主題である気候システム及び方法により、気候システムの自律動作に関する能力を常に保持しながら、ユーザの挙動を分析すること、及び局地的規模における消費条件を予測することができるようになる。
【図１】
2017530638.tif 000003
【図２】
2017530638.tif 000004
【図３】
2017530638.tif 000005
【図４】
2017530638.tif 000006
【国際調査報告】
2017530638.tif 000007
2017530638.tif 000008
2017530638.tif 000009
2017530638.tif 000010
2017530638.tif 000011
2017530638.tif 000012